(57)【要約】【課題】媒体の履歴情報のうちから所望の履歴情報を選択し、複数の印刷様式のうちから所望の印刷様式を選択し、選択した履歴情報を選択した印刷様式に合成して印刷可能にして、見やすく、各種の用途に使用することができる効率的な履歴情報を印刷することができる通信端末装置を提供する。【解決手段】媒体から識別情報を読み取る読取り部と、読み取った識別情報を情報処理装置に送信し、情報処理装置から識別情報に対応する履歴情報を受信する通信部と、履歴情報を表示する表示部と、履歴情報のうちの所望の履歴情報を選択する履歴選択部と、複数の印刷様式を格納する様式格納部と、印刷様式のうちの所望の印刷様式を選択する様式選択部と、選択された履歴情報を選択された印刷様式に合成して印刷する印刷部とを備える。【選択図】図１
2007317114.tif 000002
【特許請求の範囲】
【請求項１】
（ａ）識別情報が格納された媒体の履歴情報を管理する情報処理装置に接続される通信端末装置であって、
（ｂ）前記媒体から識別情報を読み取る読取り部と、
（ｃ）読み取った識別情報を前記情報処理装置に送信し、該情報処理装置から識別情報に対応する履歴情報を受信する通信部と、
（ｄ）前記履歴情報を表示する表示部と、
（ｅ）前記履歴情報のうちの所望の履歴情報を選択する履歴選択部と、
（ｆ）複数の印刷様式を格納する様式格納部と、
（ｇ）前記印刷様式のうちの所望の印刷様式を選択する様式選択部と、
（ｈ）選択された履歴情報を選択された印刷様式に合成して印刷する印刷部とを備えることを特徴とする通信端末装置。
【請求項２】
前記履歴選択部は、所望の属性を備える履歴情報を一括して選択する請求項１に記載の通信端末装置。
【請求項３】
前記媒体は、電子マネー決済機能を備える決済用媒体である請求項１に記載の通信端末装置。
【請求項４】
前記印刷様式は、明細書及び領収書の様式を含む請求項１に記載の通信端末装置。
【発明の詳細な説明】
【技術分野】
【０００１】
本発明は、媒体に格納された識別情報の読み取りが可能であって、印刷機能を備える通信端末装置に関するものである。
【背景技術】
【０００２】
従来、電子マネーの利用履歴は、電子マネー発行機関のサーバで管理され、要求に応じて電子マネーの利用者に提供されるようになっている（例えば、特許文献１参照。）。そして、利用者は、必要に応じて印刷機能を備える通信端末装置を使用し、前記電子マネー発行機関のサーバから提供された利用履歴を印刷し、自身の電子マネーの利用履歴をチェックするようになっている。
【特許文献１】特開２００３−１７８２４５号公報
【発明の開示】
【発明が解決しようとする課題】
【０００３】
しかしながら、前記従来の通信端末装置においては、リスト形式で提供された履歴情報をそのままリスト形式で印刷するようになっている。そのため、特定の条件、例えば、特定の支払い先や購入商品などに関する履歴のみをチェックしたい場合であっても、全履歴情報がリスト形式、すなわち、一覧形式で印刷されるので、見づらく、非効率である。
【０００４】
さらに、リスト形式で印刷された電子マネーの利用履歴は、単に履歴情報を羅列しただけであり、チェック以外の使用目的には適さないものである。
【０００５】
本発明は、前記従来の問題点を解決して、媒体の履歴情報のうちから所望の履歴情報を選択し、複数の印刷様式のうちから所望の印刷様式を選択し、選択した履歴情報を選択した印刷様式に合成して印刷可能にして、見やすく、各種の用途に使用することができる効率的な履歴情報を印刷することができる通信端末装置を提供することを目的とする。
【課題を解決するための手段】
【０００６】
そのために、本発明の通信端末装置においては、識別情報が格納された媒体の履歴情報を管理する情報処理装置に接続される通信端末装置であって、前記媒体から識別情報を読み取る読取り部と、読み取った識別情報を前記情報処理装置に送信し、該情報処理装置から識別情報に対応する履歴情報を受信する通信部と、前記履歴情報を表示する表示部と、前記履歴情報のうちの所望の履歴情報を選択する履歴選択部と、複数の印刷様式を格納する様式格納部と、前記印刷様式のうちの所望の印刷様式を選択する様式選択部と、選択された履歴情報を選択された印刷様式に合成して印刷する印刷部とを備える。
【発明の効果】
【０００７】
本発明によれば、通信端末装置は、媒体の履歴情報のうちから所望の履歴情報を選択し、複数の印刷様式のうちから所望の印刷様式を選択し、選択した履歴情報を選択した印刷様式に合成して印刷することができるようになっている。これにより、見やすく、各種の用途に使用することができる効率的な履歴情報を印刷することができる。
【発明を実施するための最良の形態】
【０００８】
以下、本発明の実施の形態について図面を参照しながら詳細に説明する。
【０００９】
図１は本発明の第１の実施の形態における通信端末装置の構成を示すブロック図である。
【００１０】
図において、１０は通信端末装置であり、ＣＰＵ、ＭＰＵ等の演算手段、半導体メモリ、磁気ディスク等の記憶手段等を有し、媒体３３に格納された識別情報の読み取りが可能であって、通信機能に加えて印刷機能を備える装置であればいかなる装置であってもよい。また、前記媒体３３は、例えば、ＩＣチップをプラスチックカードに埋め込んだＩＣカード、携帯電話機等であるが、識別情報を格納し得るものであれば、いかなる種類のものであってもよく、磁気ストライプを備えるカードであってもよい。本実施の形態においては、前記媒体３３が、電子マネー決済機能を備える決済用媒体として機能し、店舗において購入した商品、サービス等の代金の電子マネー決済をあらかじめチャージされたバリューを取引相手に渡すことによって行うための電子マネーカードである場合を例にとって説明する。
【００１１】
ここで、前記通信端末装置１０は、ネットワーク３２を介して履歴情報を管理する情報処理装置としての履歴情報サーバ３１に通信可能に接続されている。該履歴情報サーバ３１は、電子マネー発行機関のサーバであり、ＣＰＵ、ＭＰＵ等の演算手段、磁気ディスク、半導体メモリ等の記憶手段、通信インターフェイス等を備えるコンピュータであって、電子マネーの利用履歴を管理し、履歴情報を格納する。また、前記ネットワーク３２は、有線又は無線の通信回線網であり、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、インターネット等であるがいかなる種類の通信回線網であってもよく、複数の通信回線網から成るものであってもよい。
【００１２】
そして、前記通信端末装置１０は、読取り部１１、通信部としての情報通信部１２、パネル部１３、履歴情報格納部１４、履歴選択部１５、様式格納部としての帳票格納部１６、様式選択部としての帳票選択部２１、金額計算部２２、画像データ変換部２３及び印刷部２４を備える。
【００１３】
ここで、前記読取り部１１は、媒体３３との通信が可能であり、該媒体３３に格納された識別情報を読み取る。なお、前記読取り部１１は、媒体３３がＩＣカード、携帯電話機等のように非接触で通信が可能なものであっても、磁気ストライプを備えるカードのように接触式の通信を行うものであっても、媒体３３から識別情報を読み取ることができる。
【００１４】
そして、前記情報通信部１２は、読取り部１１が読み取った識別情報としてのカードＩＤを履歴情報サーバ３１に照会し、該履歴情報サーバ３１から前記カードＩＤに該当する履歴情報を受信する。
【００１５】
また、前記パネル部１３は、液晶ディスプレイ、ＬＥＤ（Ｌｉｇｈｔ  Ｅｍｉｔｔｉｎｇ  Ｄｉｏｄｅ）表示装置等の表示部、及び、テンキー、ファンクションキー、押しボタン、タッチパネル等の入力部を備える。そして、前記パネル部１３は、履歴情報格納部１４から履歴情報を取得し、表示部の画面に表示する。なお、前記表示部は、入力部としても機能するタッチパネルであることが望ましい。この場合、利用者は、画面に触れることによって、入力を行うことができる。
【００１６】
さらに、前記履歴情報格納部１４は、情報通信部１２が履歴情報サーバ３１から受信した履歴情報を格納して保持する。そして、前記履歴選択部１５は、利用者がパネル部１３の画面入力を行うことによって選択された履歴を判別し、履歴情報格納部１４に格納されている該当する履歴情報の選択状態を更新する。
【００１７】
また、前記帳票格納部１６は、領収書、請求書、明細書等の印刷書式情報を格納して保持する。なお、該印刷書式情報は、ページ記述言語によるものであり、罫線部分や見出し文字列といった利用者の個別の情報に依存しない定型部分の印刷内容のフォームデータである。
【００１８】
さらに、前記帳票選択部２１は、利用者がパネル部１３の画面入力を行うことによって選択された書式を判別し、帳票の選択状態を更新する。そして、前記金額計算部２２は、履歴情報格納部１４に格納されている履歴情報のうち、選択状態にある履歴情報の個々の金額情報を取得し、合計金額を計算する。
【００１９】
また、前記画像データ変換部２３は、帳票格納部１６に格納されている印刷書式情報のうち、選択状態にある印刷書式情報を取得する。そして、履歴情報格納部１４で選択状態にある履歴情報に対して、選択された印刷書式情報に必要な情報を履歴情報格納部１４から取得し、さらに、金額計算部２２から計算された合計金額を取得する。そして、これらの情報を合成して、印刷画像データを生成する。
【００２０】
さらに、前記印刷部２４は、画像データ変換部２３が作成した印刷画像データを、紙等の印刷媒体に印刷する。なお、前記印刷部２４の印刷方式は、例えば、電子写真方式、インクジェット方式、インクリボン方式、熱転写方式等であるが、いかなるものであってもよい。
【００２１】
次に、前記履歴情報サーバ３１及び通信端末装置１０に格納される各種情報の形式、パネル部１３に表示される表示画面並びに印刷部２４による印刷結果について説明する。
【００２２】
図２は本発明の第１の実施の形態における履歴情報サーバに格納されている履歴情報の形式の例を示す図、図３は本発明の第１の実施の形態における履歴情報格納部に格納されている所定のカードＩＤに対する履歴情報の形式の例を示す図、図４は本発明の第１の実施の形態における履歴選択画面の例を示す図、図５は本発明の第１の実施の形態における印刷様式選択画面の例を示す図、図６は本発明の第１の実施の形態における帳票格納部に格納されている印刷書式情報の例を示す図、図７は本発明の第１の実施の形態における履歴明細書の印刷結果の例を示す図、図８は本発明の第１の実施の形態における領収書の印刷結果の例を示す図、図９は本発明の第１の実施の形態における警告表示画面の第１の例を示す図、図１０は本発明の第１の実施の形態における警告表示画面の第２の例を示す図である。
【００２３】
図２には、履歴情報サーバ３１に格納されている履歴情報の形式が示されている。前記履歴情報サーバ３１は、図２（ａ）に示されるような履歴情報データベース４１ａを備え、該履歴情報データベース４１ａには、使用日時、電子マネーカードとしての媒体３３のカードＩＤ、個別の商品や用途を識別する商品ＩＤ、利用金額及び該利用金額の支払い先を示す支払先ＩＤが対応付けて格納されている。また、前記履歴情報サーバ３１は、図２（ｂ）に示されるようなカード情報データベース４１ｂを備え、該カード情報データベース４１ｂには、カードＩＤ、そのカードが有効か又は無効かを示す状態、及び、利用者名が対応付けて格納されている。さらに、前記履歴情報サーバ３１は、図２（ｃ）に示されるような商品情報データベース４１ｃを備え、該商品情報データベース４１ｃには、商品ＩＤと商品名とが対応付けて格納されている。さらに、前記履歴情報サーバ３１は、図２（ｄ）に示されるような支払先情報データベース４１ｄを備え、該支払先情報データベース４１ｄには、支払先ＩＤと支払先名とが対応付けて格納されている。
【００２４】
そして、履歴情報データベース４１ａに含まれる各ＩＤに基づいて、前記カード情報データベース４１ｂ、商品情報データベース４１ｃ及び支払先情報データベース４１ｄを参照して、画面に表示したり印刷媒体に印刷したりするための名称を示す文字列を取得することができる。なお、前記カード情報データベース４１ｂに含まれる状態は、電子マネーとしての媒体３３が利用可能な状態であるか否かを示し、１は使用可能であり、０は使用不能である。そして、盗難や紛失によって利用者から使用差し止め等の措置が取られた媒体３３については、無効な媒体３３とする。
【００２５】
図３には、履歴情報格納部１４に格納されている所定の媒体３３のカードＩＤに対応する履歴情報の形式が示されている。前記履歴情報格納部１４は、図３（ａ）に示されるような所定の媒体３３についての履歴情報データベース４２ａを備え、該履歴情報データベース４２ａには、使用日時、商品名、利用金額、履歴情報の選択状態、商品ＩＤ及び支払先ＩＤが対応付けて格納されている。なお、履歴情報の選択状態は、０が履歴情報を選択していない状態を示し、１が履歴情報を選択している状態を示している。また、前記履歴情報格納部１４は、図３（ｂ）に示されるような日付データベース４２ｂを備え、該日付データベース４２ｂにはカードＩＤに対応する利用者名と履歴情報を取得した日付とが格納されている。さらに、前記履歴情報格納部１４は、図３（ｃ）に示されるような支払先情報データベース４２ｃを備え、該支払先情報データベース４２ｃには、選択した履歴情報における支払先ＩＤと支払先名とが対応付けて格納されている。
【００２６】
図４には、パネル部１３に表示される表示画面であり、印刷する履歴情報を選択するための表示画面４３が示されている。該表示画面４３には、履歴情報が表示され、さらに、該履歴情報を上方向にスクロールさせる上スクロールボタン、履歴情報を下方向にスクロールさせる下スクロールボタン、全履歴情報に対して表示される履歴情報の相対的な常時位置を示すスクロールバー、及び、履歴情報の選択終了を指示する完了ボタンが表示される。そして、利用者は履歴情報の表示画面４３に触れることによって印刷したい履歴情報を選択することができ、選択された履歴情報は該履歴情報の選択欄にチェックマークが付加される。
【００２７】
図５には、パネル部１３に表示される表示画面であり、履歴情報の印刷様式を選択するための表示画面４４が示され、利用者が画面に触れることによって印刷様式を選択するようになっている。本実施の形態においては、印刷可能な帳票種類である、履歴明細、請求書及び領収書のボタン、並びに、選択終了を示す確定ボタンが表示されている。
【００２８】
図６には、帳票格納部１６に格納されている印刷書式情報における領収書、請求書、履歴明細書等の帳票種別とその選択状態とが示されている。なお、該選択状態は、０が対応する帳票種別を選択していない状態を示し、１が対応する帳票種別を選択している状態を示している。
【００２９】
図７には、履歴明細書の印刷結果の例として履歴明細書４６が示され、該履歴明細書４６の内容は図３に示される履歴情報に対応する。図７においては、図３（ｂ）に示される日付データベース４２ｂの履歴情報を取得した日付が明細書発行日付になり、図３（ａ）に示される履歴情報データベース４２ａの選択状態が１である履歴情報だけが抽出されている。そして、履歴情報データベース４２ａの使用日時が日付欄に印刷され、履歴情報データベース４２ａの商品名が商品名欄に印刷され、履歴情報データベース４２ａの金額が金額欄に印刷されている。また、金額欄の最下段には選択された履歴情報の金額を合計した合計金額が印刷されている。なお、発行者は、電子マネーの支払先を示す決済会社であり、支払先名に対応する。
【００３０】
図８には、領収書の印刷結果の例として領収書４７が示され、該領収書４７の内容は図３に示される履歴情報に対応する。図８においては、図３（ｂ）に示されるような日付データベース４２ｂのカードＩＤに対応する利用者名が領収書の宛先として印刷されている。そして、選択された履歴情報の金額を合計した合計金額が印刷されている。また、日付データベース４２ｂの履歴情報を取得した日付が領収日付として印刷されている。さらに、図３（ｃ）に示される支払先情報データベース４２ｃの支払先名が領収書の発行元として印刷されている。
【００３１】
図９には、パネル部１３に表示される表示画面であり、カードＩＤを読み取った媒体３３としての電子マネーカードが無効なカードである場合の警告表示画面４８が示されている。なお、取り扱い終了を指定するＯＫボタンも表示されている。
【００３２】
図１０には、パネル部１３に表示される表示画面であり、カードＩＤを読み取った媒体３３としての電子マネーカードが有効なカードではあるが、現在取り扱う履歴情報がない場合の警告表示画面４９が示されている。なお、取り扱い終了を指定するＯＫボタンも表示されている。
【００３３】
次に、前記構成の通信端末装置１０の動作について説明する。
【００３４】
図１１は本発明の第１の実施の形態における媒体から識別情報を読み取る動作を示すフローチャート、図１２は本発明の第１の実施の形態における履歴情報サーバから履歴情報を取得する動作を示すフローチャート、図１３は本発明の第１の実施の形態における履歴情報を選択する動作を示すフローチャート、図１４は本発明の第１の実施の形態における帳票を選択する動作を示すフローチャート、図１５は本発明の第１の実施の形態における印刷画像データを作成する動作を示すフローチャートである。
【００３５】
まず、利用者は、自分の所持する電子マネーカードとしての媒体３３を読取り部１１にかざす。すると、該読取り部１１は、前記媒体３３の識別情報としてのカードＩＤを読み取る。
【００３６】
続いて、情報通信部１２は、ネットワーク３２を経由して履歴情報サーバ３１からカードＩＤに対応した履歴情報を取得するために、前記履歴情報サーバ３１にカードＩＤを送る。すると、履歴情報サーバ３１は、カード情報データベースに格納されているカードＩＤを検索し、情報通信部１２から受け取ったカードＩＤに該当するものがあるか否かに基づいて、前記媒体３３が有効であるか否か、すなわち、有効なカードであるか否かを判断する。
【００３７】
そして、カード情報データベースに情報通信部１２から受け取ったカードＩＤに該当するものがない場合、履歴情報サーバ３１は、前記媒体３３が無効であると判断し、無効であることを示す０を情報通信部１２に送る。すると、該情報通信部１２は、パネル部１３に前記媒体３３が無効なカードであったことを通知する。そして、前記パネル部１３は、図９に示されるような警告表示画面４８によって、無効なカードであることを表示する。
【００３８】
また、カード情報データベースに情報通信部１２から受け取ったカードＩＤに該当するものがある場合、履歴情報サーバ３１は、前記媒体３３が有効であると判断し、有効であることを示す１を情報通信部１２に送る。すると、該情報通信部１２は、パネル部１３に前記媒体３３が有効なカードであったことを通知し、前記カードＩＤに対応する履歴情報の取得を履歴情報サーバ３１に要求する。
【００３９】
該履歴情報サーバ３１は、前記カードＩＤに対応する履歴情報があるか否かを判断する。そして、履歴情報がある場合には、図２（ａ）に示されるような履歴情報データベース４１ａから前記カードＩＤに対応する履歴情報を抜粋して情報通信部１２に送信する。すると、履歴情報格納部１４は、情報通信部１２が履歴情報サーバ３１から受け取った履歴情報を格納して保存する。
【００４０】
なお、前記履歴情報データベース４１ａには、履歴情報がカードＩＤ、商品ＩＤ、支払先ＩＤ等のＩＤによって格納されている。そこで、履歴情報格納部１４は、履歴情報サーバ３１の図２（ｃ）に示されるような商品情報データベース４１ｃから、商品ＩＤをキーとして商品名を検索して取得し、図３（ａ）に示されるような履歴情報データベース４２ａの商品名欄に格納する。また、履歴情報サーバ３１の図２（ｂ）に示されるようなカード情報データベース４１ｂから、カードＩＤをキーとして利用者名を検索して取得し、図３（ｂ）に示されるような日付データベース４２ｂの利用者名欄に格納する。さらに、履歴情報サーバ３１の図２（ｄ）に示されるような支払先情報データベース４１ｄから、支払先ＩＤをキーとして支払先名を検索して取得し、図３（ｃ）に示されるような支払先情報データベース４２ｃの支払先名欄に格納する。なお、図２（ｄ）に示されるような支払先情報データベース４１ｄを検索する前に、図３（ａ）に示されるような履歴情報データベース４２ａの支払先ＩＤ欄内を検索し、同一の支払先ＩＤがある場合には、支払先情報データベース４２ｃから支払先名を取得しないようになっている。
【００４１】
続いて、履歴選択部１５は履歴情報格納部１４から履歴情報を読み出してパネル部１３へ送り、該パネル部１３は、図４に示されるような表示画面４３によって、履歴情報を表示する。
【００４２】
また、カードＩＤに対応する履歴情報が履歴情報サーバ３１にない場合には、履歴情報を受け取ることができないので、情報通信部１２は履歴情報が０件であることをパネル部１３へ通知する。すると、該パネル部１３は、図１０に示されるような警告表示画面４９によって、履歴件数がないことを表示する。そして、利用者によって、図９又は１０に示されるような警告表示画面４８又は警告表示画面４９に表示されたＯＫボタンが押下されると、通信端末装置１０は待機状態になる。
【００４３】
一方、図４に示されるような表示画面４３によって履歴情報を表示しているパネル部１３は、利用者が画面に接触するまで待機する。そして、利用者が画面に接触すると、どこに接触したかを判断し、接触した箇所に応じて次の動作を選択する。
【００４４】
利用者が接触した箇所が上スクロールボタン又は下スクロールボタン、すなわち、画面スクロールである場合、パネル部１３は、履歴情報をスクロールさせて表示する。すなわち、画面に表示していない部分の履歴を履歴選択部１５を介して履歴情報格納部１４から取り出し、再度一覧表示する。
【００４５】
また、利用者が接触した箇所が所定の履歴情報に対応する行、すなわち、履歴行である場合、パネル部１３は、利用者が接触した履歴行を指定行として履歴選択部１５に通知する。すると、該履歴選択部１５は、指定行に対応する履歴情報の選択状態を判断する。そして、指定行に対応する履歴情報の選択状態が未選択である場合、履歴選択部１５は、該当する履歴情報の選択状態を１（選択中) に切り替えて更新し、更新後の選択状態をパネル部１３に通知する。また、指定行に対応する履歴情報の選択状態が選択済みである場合、履歴選択部１５は、該当する履歴情報の選択状態を０（非選択) に切り替えて更新し、更新後の選択状態をパネル部１３に通知する。
【００４６】
そして、該パネル部１３は、履歴選択部１５から通知された選択状態に従い、図４に示されるような表示画面４３の履歴情報の選択欄の表示を変更する。この場合、更新された選択状態が選択中であれば、該当する行に選択記号、すなわち、チェックマークを表示し、また、更新された選択状態が非選択であれば、該当する行の選択記号、すなわち、チェックマークを消去する。
【００４７】
また、利用者が接触した箇所が履歴情報の選択終了を指示する完了ボタンである場合、パネル部１３は、帳票格納部１６から帳票選択画面を呼び出し、図５に示されるような表示画面４４によって、前記帳票選択画面を表示する。そして、パネル部１３は、利用者が画面に接触するまで待機し、利用者が画面に接触すると、どこに接触したかを判断し、接触した箇所に応じて次の動作を選択する。
【００４８】
利用者が接触した箇所が履歴明細、請求書又は領収書のボタン、すなわち、帳票のいずれかを選択するボタンである場合、パネル部１３は、帳票のいずれかが指定されたこと帳票選択部２１に通知する。すると、該帳票選択部２１は、指定された帳票の選択状態を判断する。そして、指定された帳票の選択状態が未選択である場合、帳票選択部２１は、指定された帳票の選択状態を１（選択中) に切り替えて更新し、更新後の選択状態をパネル部１３に通知する。また、選択された帳票の選択状態が選択済みである場合、帳票選択部２１は、選択された帳票の選択状態を０（非選択) に切り替えて更新し、更新後の選択状態をパネル部１３に通知する。
【００４９】
そして、該パネル部１３は、帳票選択部２１から通知された選択状態に従い、図５に示されるような表示画面４４の履歴明細、請求書又は領収書のボタンにおける枠の色彩を変更する。この場合、更新された選択状態が選択中であれば、該当するボタンの枠を選択中を示す色彩に変更する、すなわち、帳票表示部分を選択中に切り替え、また、更新された選択状態が非選択であれば、該当するボタンの枠を非選択を示す色彩に変更する、すなわち、帳票表示部分を非選択に切り替える。
【００５０】
また、利用者が接触した箇所が選択終了を指示する確定ボタンである場合、帳票選択部２１は画像データ変換部２３に帳票の選択完了を通知する。
【００５１】
続いて、画像データ変換部２３は、図６に示されるような帳票格納部１６に格納されている印刷書式情報における帳票種別の選択状態を順に参照し、選択状態にある帳票種別の印刷書式情報を取得する。そして、画像データ変換部２３は、選択状態にあるすべての種別の帳票を印刷画像データに変換したか否か、すなわち、指定帳票をすべて変換したか否かを判断し、すべて変換していない場合には、選択状態にある帳票種別は何であるかを判断する。なお、印刷する内容は、帳票種別毎に異なるものであり、ここでは、説明の都合上、選択状態にある帳票種別が領収書である場合、及び、履歴明細書である場合についてのみ説明する。
【００５２】
まず、選択状態にある帳票種別が領収書である場合、金額計算部２２が、履歴情報格納部１４を参照し、図３（ａ）に示されるような履歴情報データベース４２ａの選択状態が選択中を示す１である履歴情報についての金額の合計金額を計算する。すなわち、選択した履歴情報の合計金額を計算する。そして、画像データ変換部２３は、印刷書式情報、すなわち、フォームデータと合計金額とを合成して印刷画像データを生成する。ここで、生成された印刷画像データは、図８に示されるような領収書４７を印刷するための領収書の画像データである。このような領収書４７の画像データはページ記述言語によるフォームデータであり、「領収書」、「様」、「金額」及び「平成  年  月  日  上記正に領収致しました」は固定した印字内容であり、前記フォームデータに含まれている。そして、画像データ変換部２３は、印刷部２４に送信するための印刷ジョブの中身を内部的に作成する。
【００５３】
この場合、画像データ変換部２３は、前記フォームデータを指定するページ記述言語コマンドに続いて、領収書４７の宛先部分に支払者名を印字するための座標位置指定コマンドを作成し、該座標位置指定コマンドによって指定された座標位置に、図３（ｂ）に示されるような日付データベース４２ｂに格納された利用者名を文字列として印字するためのコマンドを作成し、領収書の金額部分に合計金額を印字するための座標位置指定コマンドを作成し、金額計算部２２から合計金額を取得し、該合計金額を文字列として印字するためのコマンドを作成する。なお、合計金額の先頭には“￥”を入れ、3 桁（けた）毎にカンマ文字を入れるものとする。また、画像データ変換部２３は、領収書の日付部分に４桁の年、２桁の月及び２桁の日の文字列を印字するための座標位置指定コマンドを作成し、該座標位置指定コマンドによって指定された座標位置に、図３（ｂ）に示されるような日付データベース４２ｂに格納された取得日に含まれる４桁の年、２桁の月、２桁の日を文字列として印字するためのコマンドを作成する。さらに、画像データ変換部２３は、領収書４７の発行者名の部分に支払先名を印字するための座標位置指定コマンドを作成し、該座標位置指定コマンドによって指定された座標位置に、図３（ｃ）に示されるような支払先情報データベース４２ｃに格納された支払先名を文字列として印字するためのコマンドを作成する。
【００５４】
次に、選択状態にある帳票種別が明細書である場合、画像データ変換部２３は、履歴情報格納部１４を参照し、図３（ａ）に示されるような履歴情報データベース４２ａの選択状態が選択中を示す１である履歴情報についての使用日時、商品名及び金額を取得する。すなわち、履歴情報格納部１４から選択した履歴情報を１件取得する。そして、画像データ変換部２３は、履歴情報を明細書に合成する、すなわち、図７に示されるような履歴明細書４６を印刷するための印刷画像データを生成する。このような履歴明細書４６の印刷画像データはページ記述言語によるフォームデータであり、「履歴明細書」、「日付」、発効日中の「発行日:」、「年」、「月」、「日」及び発行者の文字列印字コマンドと座標位置指定コマンドは、前記フォームデータに含まれている。そして、画像データ変換部２３は、印刷部２４に送信するための印刷ジョブの中身を内部的に作成する。
【００５５】
この場合、画像データ変換部２３は、前記フォームデータを指定するページ記述言語コマンドに続いて、前記フォームデータに含まれない選択中の履歴情報の可変データを印字するためのコマンドを作成する。そして、画像データ変換部２３は、履歴明細書４６の発行日部分に４桁の年、２桁の月及び２桁の日の文字列を印字するための座標位置指定コマンドを作成する。また、画像データ変換部２３は、履歴明細書４６の１件目の履歴情報に対応する日付の印字開始位置を指定する座標位置指定コマンドを作成し、図３（ａ）に示されるような履歴情報データベース４２ａに含まれる使用日時から年月日を抽出し、該年月日を文字列として前記日付の印字開始位置から印字するためのコマンドを作成する。さらに、画像データ変換部２３は、履歴明細書４６の１件目の履歴情報に対応する商品名の印字開始位置を指定する座標位置指定コマンドを作成し、図３（ａ）に示されるような履歴情報データベース４２ａに含まれる商品名を抽出し、該商品名を文字列として前記商品名の印字開始位置から印字するためのコマンドを作成する。さらに、画像データ変換部２３は、履歴明細書４６の１件目の履歴情報に対応する金額の印字開始位置を指定する座標位置指定コマンドを作成し、図３（ａ）に示されるような履歴情報データベース４２ａに含まれる金額を抽出し、該金額を文字列として前記金額の印字開始位置から印字するためのコマンドを作成する。
【００５６】
続いて、画像データ変換部２３は、図３（ａ）に示されるような履歴情報データベース４２ａの選択状態が１である履歴情報のすべてを履歴明細書４６に合成したか否か、すなわち、全履歴情報を取得したか否かを判断し、選択状態が１である履歴情報のすべてを履歴明細書４６に合成するまで、前述の動作を繰り返して行う。そして、選択状態が１である履歴情報のすべてを履歴明細書４６に合成すると、金額計算部２２が、履歴情報格納部１４を参照し、図３（ａ）に示されるような履歴情報データベース４２ａの選択状態が１である履歴情報についての金額の合計金額を計算する。すなわち、選択した履歴情報の合計金額を計算する。
【００５７】
続いて、画像データ変換部２３は、フォームデータと合計金額とを合成して印刷画像データを生成する。この場合、画像データ変換部２３は、履歴明細書４６の合計金額部分における合計金額の印字開始位置を指定する座標位置指定コマンドを作成し、金額計算部２２が計算した合計金額を文字列として前記合計金額の印字開始位置から印字するためのコマンドを作成する。これにより、図７に示されるような履歴明細書４６を印刷するための印刷画像データが生成される。
【００５８】
そして、画像データ変換部２３は、指定帳票をすべて変換したか否かを判断してすべて変換した場合、すなわち、選択状態にあるすべての種別の帳票を印刷画像データに変換したと判断すると、該印刷画像データを印刷部２４に送信する。すると、該印刷部２４が印刷画像データを紙等の印刷媒体に印刷する。
【００５９】
次に、フローチャートについて説明する。
ステップＳ１  媒体３３を読取り部１１にかざす。
ステップＳ２  カードＩＤを読み取る。
ステップＳ３  履歴情報サーバ３１にカードＩＤを送る。
ステップＳ４  有効なカードか否かを判断する。有効なカードである場合はステップＳ５に進み、有効なカードでない場合はステップＳ９に進む。
ステップＳ５  履歴情報サーバ３１に履歴情報を要求する。
ステップＳ６  履歴情報か否かを判断する。履歴情報である場合はステップＳ７に進み、履歴情報でない場合はステップＳ１０に進む。
ステップＳ７  履歴情報を保存する。
ステップＳ８  パネル部１３は履歴情報を表示する。
ステップＳ９  パネル部１３は無効なカードであることを表示する。
ステップＳ１０  パネル部１３は履歴件数がないことを表示する。
ステップＳ１１  ＯＫボタンが押下されたか否かを判断する。ＯＫボタンが押下された場合はステップＳ１２に進み、ＯＫボタンが押下されない場合はそのまま待機する。
ステップＳ１２  待機状態になり、処理を終了する。
ステップＳ１３  画面に接触したか否かを判断する。画面に接触した場合はステップＳ１４に進み、画面に接触していない場合はそのまま待機する。
ステップＳ１４  どこに接触したを判断する。画面スクロールに接触した場合はステップＳ１８に進み、履歴行に接触した場合はステップＳ１５に進み、完了ボタンに接触した場合はステップＳ２１に進む。
ステップＳ１５  履歴情報の選択状態を判断する。履歴情報が未選択の場合はステップＳ１６に進み、履歴情報が選択済みの場合はステップＳ１９に進む。
ステップＳ１６  履歴情報の状態を“選択中”にする。
ステップＳ１７  該当する行に選択記号を表示する。
ステップＳ１８  履歴情報をスクロールさせて表示する。
ステップＳ１９  履歴情報の状態を“非選択”にする。
ステップＳ２０  該当する行の選択記号を消去する。
ステップＳ２１  帳票選択画面を表示する。
ステップＳ２２  画面に接触したか否かを判断する。画面に接触した場合はステップＳ２３に進み、画面に接触していない場合はそのまま待機する。
ステップＳ２３  どこに接触したかを判断する。帳票に接触した場合はステップＳ２４に進み、確定ボタンに接触した場合はステップＳ２９に進む。
ステップＳ２４  帳票の選択状態を判断する。帳票が未選択の場合はステップＳ２５に進み、帳票が選択済みの場合はステップＳ２７に進む。
ステップＳ２５  選択状態を“選択中”にする。
ステップＳ２６  帳票表示部分を選択中に切替える。
ステップＳ２７  選択状態を“非選択中”にする。
ステップＳ２８  帳票表示部分を非選択中に切替える。
ステップＳ２９  画像データ変換部２３に選択完了を通知する。
ステップＳ３０  指定された帳票種別の印刷書式情報を取得する。
ステップＳ３１  指定帳票をすべて変換するか否かを判断する。帳票をすべて変換しない場合はステップＳ３２に進み、指定帳票をすべて変換する場合はステップＳ４０に進む。
ステップＳ３２  帳票種別は何かを判断する。帳票種別が領収書である場合はステップＳ３６に進み、帳票種別が明細書である場合はステップＳ３３に進む。
ステップＳ３３  履歴情報格納部１４から選択した履歴情報を１件取得する。
ステップＳ３４  履歴情報を明細書に合成する。
ステップＳ３５  全履歴情報を取得したか否かを判断する。全履歴情報を取得した場合はステップＳ３８に進み、全履歴情報を取得していない場合はステップＳ３３に戻る。
ステップＳ３６  選択した履歴情報の合計金額を計算する。
ステップＳ３７  フォームデータと合計金額とを合成して印刷画像データを生成する。
ステップＳ３８  選択した履歴情報の合計金額を計算する。
ステップＳ３９  フォームデータと合計金額とを合成して印刷画像データを生成する。
ステップＳ４０  印刷画像データを印刷し、処理を終了する。
【００６０】
このように、本実施の形態においては、媒体３３の履歴情報のうちから所望の履歴情報を選択するとともに、複数の印刷様式のうちから所望の印刷様式を選択して、選択した履歴情報を選択した印刷様式に合成して印刷することができるようになっている。これにより、見やすく、かつ、各種の用途に使用することができる効率的な履歴情報を印刷することができる。
【００６１】
次に、本発明の第２の実施の形態について説明する。なお、第１の実施の形態と同じ構造を有するものについては、同じ符号を付与することによって、その説明を省略する。また、前記第１の実施の形態と同じ動作及び効果についても、その説明を省略する。
【００６２】
図１６は本発明の第２の実施の形態における通信端末装置の構成を示すブロック図、図１７は本発明の第２の実施の形態における履歴選択画面の例を示す図、図１８は本発明の第２の実施の形態における印刷様式選択画面の例を示す図、図１９は本発明の第２の実施の形態における属性選択後の履歴選択画面の例を示す図である。
【００６３】
図に示されるように、本実施の形態における通信端末装置１０には、属性選択部１７及び属性情報格納部１８が追加されている。本実施の形態において、「属性」とは、例えば、検索キーが商品である場合には商品名の項目を意味し、また例えば、検索キーが支払先である場合には支払先名の項目を意味し、また例えば、検索キーが使用日時である場合には年月日の項目を意味するものである。そして、属性選択部１７は、履歴情報格納部１４を参照し、例えば、商品ＩＤを検索キーとした抽出を行う。
【００６４】
また、属性情報格納部１８は、属性選択部１７が抽出した結果を商品ＩＤテーブルに格納する。この場合、属性情報格納部１８は、履歴情報格納部１４に格納されている図３（ａ）に示されるような所定の媒体３３についての履歴情報データベース４２ａから商品ＩＤをキーとした抽出を行い、商品ＩＤ及び該商品ＩＤに対応する商品名を取得して、前記商品ＩＤテーブルに格納する。
【００６５】
図１７には、本実施の形態においてパネル部１３に表示される表示画面であり、印刷する履歴情報を選択するための表示画面５１が示されている。該表示画面５１は、前記第１の実施の形態において説明した図４に示される表示画面４３と同様のものであるが、所定の属性を備える履歴情報を一括選択するための一括ボタンが追加されている。
【００６６】
図１８には、本実施の形態においてパネル部１３に表示される表示画面であり、履歴情報の属性を選択するための表示画面５２が示され、利用者が画面に触れることによって属性を選択するようになっている。本実施の形態においては、属性を選択するボタンとしてのＪＲ乗車、タバコ及び書籍のボタン、並びに、属性の選択終了を示す確定ボタンが表示されている。
【００６７】
図１９に示される表示画面５１は、図１７に示される表示画面５１と同様のものであって、所定の属性を備える履歴情報を一括選択された後の状態を示すものである。
【００６８】
なお、その他の点の構成については、前記第１の実施の形態と同様であり、その説明を省略する。
【００６９】
次に、本実施の形態における通信端末装置１０の動作について説明する。
【００７０】
図２０は本発明の第２の実施の形態における履歴情報を選択する動作を示す第１のフローチャート、図２１は本発明の第２の実施の形態における履歴情報を選択する動作を示す第２のフローチャートである。
【００７１】
なお、利用者が媒体３３を読取り部１１にかざしてから、パネル部１３が履歴情報を表示するまでの動作、すなわち、図１１及び１２に示されるフローチャートに対応する動作については、前記第１の実施の形態と同様であり、その説明を省略する。
【００７２】
そして、図１７に示されるような表示画面５１によって、履歴情報を表示しているパネル部１３は、利用者が画面に接触するまで待機する。そして、利用者が画面に接触すると、どこに接触したかを判断し、接触した箇所に応じて次の動作を選択する。
【００７３】
なお、利用者が接触した箇所が、所定の履歴情報に対応する行、すなわち、履歴行である場合、及び、履歴情報の選択終了を指示する完了ボタンである場合の動作については、前記第１の実施の形態と同様であり、その説明を省略する。
【００７４】
そして、利用者が接触した箇所が、所定の属性を備える履歴情報を一括選択するための一括ボタンである場合、パネル部１３は一括選択の開始を属性選択部１７に通知する。すると、該属性選択部１７は、属性情報格納部１８の商品ＩＤテーブルを初期化し、履歴情報格納部１４の図３（ａ）に示されるような履歴情報データベース４２ａに格納されている履歴情報を先頭から参照する。この場合、履歴情報データベース４２ａから商品ＩＤ及び対応する商品名を抽出し、抽出した商品ＩＤが登録済みの商品ＩＤであるか否かを判断し、登録済みでないときは、属性情報格納部１８の商品ＩＤテーブルに登録する。具体的には、履歴情報データベース４２ａに含まれる商品ＩＤに一致する商品ＩＤが前記商品ＩＤテーブルに存在するか検索し、存在しないときには、当該商品ＩＤ及び対応する商品名を前記商品ＩＤテーブルに格納する。そして、このような動作を履歴情報データベース４２ａに格納されているすべての履歴情報に対し順次行う。
【００７５】
続いて、パネル部１３は、属性選択部１７を介して属性情報格納部１８に格納された商品ＩＤテーブルから商品名を取得し、図１８に示されるような属性選択画面としての表示画面５２に前記商品名を表示する。すなわち、前記商品ＩＤテーブルに登録した商品ＩＤに対応する商品名を画面に表示する。そして、パネル部１３は、利用者が画面に接触するまで待機し、利用者が画面に接触すると、どこに接触したかを判断し、接触した箇所に応じて次の動作を選択する。
【００７６】
続いて、利用者が属性選択画面としての表示画面５２に表示された属性を選択するボタンとしてのＪＲ乗車、タバコ及び書籍のボタンに接触して選択すると、属性選択部１７は、属性情報格納部１８の商品ＩＤテーブルから選択された属性に対応する商品ＩＤを取り出し、履歴選択部１５に通知する。すなわち、商品ＩＤテーブルを参照し、選択された商品名に対応する商品ＩＤを取り出すようになっている。
【００７７】
続いて、履歴選択部１５は、履歴情報格納部１４の図３（ａ）に示されるような履歴情報データベース４２ａに格納されている履歴情報を先頭から参照する。そして、一括選択を指定された商品ＩＤと一致する商品ＩＤが履歴情報データベース４２ａにあれば、対応する履歴情報の選択状態を１とする。すなわち、履歴情報データベース４２ａの商品ＩＤが一致するか否かを判断し、一致するものについては対応する履歴情報の状態を選択中にする。このような動作を履歴情報データベース４２ａに格納されているすべての履歴情報に対し順次行う。そして、すべての履歴情報を参照し、選択状態の更新が完了したら、パネル部１３に通知する。
【００７８】
すると、該パネル部１３は、属性選択画面としての表示画面５２を再度表示し、確定ボタンが選択されるまでは、上述の指定属性の一括選択の動作を繰り返す。そして、利用者が、表示画面５２の確定ボタンに接触して選択すると、パネル部１３は、一括選択完了後の履歴情報データベース４２ａを参照し、図１９に示されるように選択状態が選択中を示す１である履歴情報に対してチェックマークを付加した表示画面５１を表示する。
【００７９】
以降のについては、前記第１の実施の形態と同様であり、その説明を省略する。
【００８０】
次に、フローチャートについて説明する。
ステップＳ５１  画面に接触したか否かを判断する。画面に接触した場合はステップＳ５２に進み、画面に接触していない場合はそのまま待機する。
ステップＳ５２  どこに接触したかを判断する。画面スクロールに接触した場合はステップＳ５６に進み、履歴行に接触した場合はステップＳ５３に進み、完了ボタンに接触した場合はステップＳ５９に進み、一括ボタンに接触した場合はステップＳ６０に進む。
ステップＳ５３  履歴情報の選択状態を判断する。履歴情報が未選択の場合はステップＳ５４に進み、履歴情報が選択済みの場合はステップＳ５７に進む。
ステップＳ５４  履歴情報の状態を“選択中”にする。
ステップＳ５５  該当する行に選択記号を表示する。
ステップＳ５６  履歴情報をスクロールさせて表示する。
ステップＳ５７  履歴情報の状態を“非選択”にする。
ステップＳ５８  該当する行の選択記号を消去する。
ステップＳ５９  帳票選択画面を表示する。
ステップＳ６０  履歴情報を参照する。
ステップＳ６１  全履歴を参照したか否かを判断する。全履歴を参照した場合はステップＳ６５に進み、全履歴を参照していない場合はステップＳ６２に進む。
ステップＳ６２  商品ＩＤ及び商品名を抽出する。
ステップＳ６３  登録済みの商品ＩＤであるか否かを判断する。登録済みの商品ＩＤである場合はステップＳ６０に戻り、登録済みの商品ＩＤでない場合はステップＳ６４に進む。
ステップＳ６４  商品ＩＤテーブルに登録する。
ステップＳ６５  商品ＩＤテーブルに登録した商品ＩＤに対する商品名を画面に表示する。
ステップＳ６６  画面に接触したか否かを判断する。画面に接触した場合はステップＳ６７に進み、画面に接触していない場合はそのまま待機する。
ステップＳ６７  どこに接触したかを判断する。商品名に接触した場合はステップＳ６８に進み、確定ボタンに接触した場合はステップＳ７３に進む。
ステップＳ６８  商品ＩＤテーブルを参照し選択された商品名に対応する商品ＩＤを取り出す。
ステップＳ６９  履歴情報を参照する。
ステップＳ７０  すべて参照したか否かを判断する。すべて参照した場合はステップＳ６６に進み、すべて参照していない場合はステップＳ７１に進む。
ステップＳ７１  商品ＩＤが一致しているか否かを判断する。商品ＩＤが一致している場合はステップＳ７２に進み、商品ＩＤが一致いていない場合はステップＳ６９に戻る。
ステップＳ７２  履歴情報の状態を“選択中”にする。
ステップＳ７３  該当する履歴行に選択記号を表示する。
【００８１】
このように、本実施の形態においては、履歴情報を１つずつ選択することなく、同一の属性を備える履歴情報を一括して選択することができるので、利用者による入力操作を容易にすることができる。
【００８２】
なお、前記第１及び第２の実施の形態における通信端末装置１０は、プリンタ、ＭＦＰ（複合型プリンタ：Ｍｕｌｔｉ  Ｆｕｎｃｔｉｏｎ  Ｐｒｉｎｔｅｒ）、ファクシミリ、複写装置等として適用可能である。また、媒体３３は、非接触のＩＣカード以外にも、決済機能を有する携帯電話機、磁気カード、プリペイドカード等にも適用可能である。
【００８３】
また、本発明は前記実施の形態に限定されるものではなく、本発明の趣旨に基づいて種々変形させることが可能であり、それらを本発明の範囲から排除するものでない。
【図面の簡単な説明】
【００８４】
【図１】本発明の第１の実施の形態における通信端末装置の構成を示すブロック図である。
【図２】本発明の第１の実施の形態における履歴情報サーバに格納されている履歴情報の形式の例を示す図である。
【図３】本発明の第１の実施の形態における履歴情報格納部に格納されている所定のカードＩＤに対する履歴情報の形式の例を示す図である。
【図４】本発明の第１の実施の形態における履歴選択画面の例を示す図である。
【図５】本発明の第１の実施の形態における印刷様式選択画面の例を示す図である。
【図６】本発明の第１の実施の形態における帳票格納部に格納されている印刷書式情報の例を示す図である。
【図７】本発明の第１の実施の形態における履歴明細書の印刷結果の例を示す図である。
【図８】本発明の第１の実施の形態における領収書の印刷結果の例を示す図である。
【図９】本発明の第１の実施の形態における警告表示画面の第１の例を示す図である。
【図１０】本発明の第１の実施の形態における警告表示画面の第２の例を示す図である。
【図１１】本発明の第１の実施の形態における媒体から識別情報を読み取る動作を示すフローチャートである。
【図１２】本発明の第１の実施の形態における履歴情報サーバから履歴情報を取得する動作を示すフローチャートである。
【図１３】本発明の第１の実施の形態における履歴情報を選択する動作を示すフローチャートである。
【図１４】本発明の第１の実施の形態における帳票を選択する動作を示すフローチャートである。
【図１５】本発明の第１の実施の形態における印刷画像データを作成する動作を示すフローチャートである。
【図１６】本発明の第２の実施の形態における通信端末装置の構成を示すブロック図である。
【図１７】本発明の第２の実施の形態における履歴選択画面の例を示す図である。
【図１８】本発明の第２の実施の形態における印刷様式選択画面の例を示す図である。
【図１９】本発明の第２の実施の形態における属性選択後の履歴選択画面の例を示す図である。
【図２０】本発明の第２の実施の形態における履歴情報を選択する動作を示す第１のフローチャートである。
【図２１】本発明の第２の実施の形態における履歴情報を選択する動作を示す第２のフローチャートである。
【符号の説明】
【００８５】
１０    通信端末装置
１１    読取り部
１２    情報通信部
１５    履歴選択部
１６    帳票格納部
２１    帳票選択部
２４    印刷部
３１    履歴情報サーバ
３３    媒体
【図１】
2007317114.tif 000003
【図２】
2007317114.tif 000004
【図３】
2007317114.tif 000005
【図４】
2007317114.tif 000006
【図５】
2007317114.tif 000007
【図６】
2007317114.tif 000008
【図７】
2007317114.tif 000009
【図８】
2007317114.tif 000010
【図９】
2007317114.tif 000011
【図１０】
2007317114.tif 000012
【図１１】
2007317114.tif 000013
【図１２】
2007317114.tif 000014
【図１３】
2007317114.tif 000015
【図１４】
2007317114.tif 000016
【図１５】
2007317114.tif 000017
【図１６】
2007317114.tif 000018
【図１７】
2007317114.tif 000019
【図１８】
2007317114.tif 000020
【図１９】
2007317114.tif 000021
【図２０】
2007317114.tif 000022
【図２１】
2007317114.tif 000023